(57)【要約】【課題】ねじロック機能が低下した場合に竜頭回りの部品交換を可能とした携帯時計を提供することにある。【解決手段】胴１３に、胴内面１３ａ及び胴外面１３ｂに開口するパイプ取付け孔１７と、この孔に開放すると共に胴内面及び胴外面に開放するピン受け溝１９とを設ける。巻真パイプ２１は、係合溝２５を有して胴の内側に配置される内側端部２２ａと、竜頭３１が取外し可能に螺合される雄ねじ部２３ａを有して胴の外側に配置される胴外側端部２３と、パイプ２１の外周面に開放して受け溝１９と対向するピン受け溝２４とを有する。パイプ２１を胴の外側から孔１７に出し入れ可能に遊挿する。パイプ２１を回り止めする回り止めピン２６を両受け溝１９、２４に渡って配置する。パイプ２１を抜け止めするパイプストッパ２７を係合溝２５に取外し可能に係合する。これにより竜頭３１及びパイプ２１を単独に交換可能としている。【選択図】    図２
2004271362.tif 000002
【特許請求の範囲】
【請求項１】
胴内面及び胴外面に開口するパイプ取付け孔、及びこの取付け孔に開放するとともに前記胴内面及び胴外面の少なくとも一方に開放するピン受け溝が設けられた胴と、
前記胴の外側から前記パイプ取付け孔に出し入れ可能に遊挿されているとともに、前記胴の内側に配置される胴内側端部を有した挿入部、雄ねじ部を有した胴外側端部、及び前記挿入部の外周面に開放して前記ピン受け溝と対向する他のピン受け溝が設けられた巻真パイプと、
前記両ピン受け溝に渡って配置された回り止めピンと、
前記胴内側端部に設けられた係合溝に取外し可能に係合されて前記巻真パイプの抜け止めをするパイプストッパと、
前記雄ねじ部に取外し可能に螺合する雌ねじ部が形成された竜頭主部を有する竜頭と、
を具備している携帯時計。
【請求項２】
前記胴のピン受け溝が前記胴内面に開放されているとともに、前記巻真パイプのピン受け溝が前記挿入部の先端面に開放されている、請求項１に記載の携帯時計。
【請求項３】
前記巻真パイプのピン受け溝の前記胴外側端部寄りの溝端と前記パイプストッパとで前記回り止めピンが軸方向に挟まれている、請求項１又は２に記載の携帯時計。
【請求項４】
胴内面及び胴外面に開口する非円形のパイプ取付け孔が設けられた胴と、
外周形状が前記パイプ取付け孔に対応した非円形をなしていて、前記胴の外側から前記パイプ取付け孔に出し入れ可能に遊挿されているとともに、前記胴の内側に配置される胴内側端部を有した挿入部、及び雄ねじ部を有した胴外側端部が設けられた巻真パイプと、
前記胴内側端部に設けられた係合溝に取外し可能に係合されて前記巻真パイプの抜け止めをするパイプストッパと、
前記雄ねじ部に取外し可能に螺合する雌ねじ部が形成された竜頭主部を有する竜頭と、
を具備している携帯時計。
【発明の詳細な説明】
【０００１】
【発明の属する技術分野】
本発明は、竜頭が不用意に回転されないように保持する構造を備えた携帯時計に関する。
【０００２】
【従来の技術】
ダイバーズウォッチ等の携帯時計では、その携帯時に竜頭が不用意に回転されないように、ねじの噛合いを利用して竜頭をロックする構造（この構造を本明細書ではねじロック構造と称する。）が採用されている。
【０００３】
ねじロック構造は、時計ムーブメントが内蔵された胴に巻真パイプを取付け、このパイプの胴外側端部の外周に形成された雄ねじ部に、胴外側端部に被嵌する竜頭主部の雌ねじ部を螺合する構造である。これにより、通常時には、竜頭主部を胴外側端部の外周にねじ込んで竜頭をロックできる。又、時計ムーブメントを操作する時には、雄ねじ部に対する竜頭主部のねじ込みを外してから、竜頭を引き動かして巻真パイプの内側に配置されている巻真を回転操作することができる。
【０００４】
このようなねじロック構造を備えた従来の携帯時計では、一般に、胴に対して巻真パイプをろう付けすることにより、巻真パイプ取付け部の防水を図っている（例えば特許文献１参照）。
【０００５】
この他に、竜頭が螺合される雄ねじ部とは別の雄ねじ部を巻真パイプの軸方向中間部に設けて、この別の雄ねじ部を胴のパイプ取付け孔にねじ込むとともに、このねじ込みに伴い胴と巻真パイプとの間に防水パッキンを挟み込んで、巻真パイプ取付け部の防水を図った携帯時計も知られている。
【０００６】
【特許文献１】
特開昭５７−４６１８１号公報（第１頁右欄第８行〜第２頁左欄第７行、第１図、第２図）
【０００７】
【発明が解決しようとする課題】
ねじロック構造を備える携帯時計では、竜頭が繰返し回転操作されること等により、互いに螺合する竜頭の雌ねじ部と巻真パイプの雄ねじ部とが摩耗したり、削れたりして、ねじロックの機能が低下することがある。
【０００８】
このような事態に至った場合、胴に巻真パイプがろう付けされている特許文献１の携帯時計では、巻真パイプの胴からの取外しを伴う竜頭回りの部品交換ができない。それにより、胴を含めた時計外装組立の交換を余儀なくされており、その改善が求められている。
【０００９】
胴に巻真パイプをねじ込んだ時計では、原理的には巻真パイプを含めた竜頭周りの部品交換が可能であると考えられている。しかし、竜頭を巻真パイプに螺合させたり、この螺合を外したりするたびに、巻真パイプには回転力が作用するので、それに伴って胴に対する巻真パイプのねじ込みが緩んで、防水パッキンによる防水性が低下するおそれがある。
【００１０】
この対策として、巻真パイプと胴との螺合部に接着剤を充填することが行われることがある。このように接着止めされる場合には、巻真パイプを胴から取外すことが困難となり、実際上は竜頭回りの部品交換ができなくなる。それにより、ねじロック機能が低下した場合に、胴を含めた時計外装組立の交換を余儀なくされており、その改善が求められている。
【００１１】
本発明が解決しようとする課題は、ねじロック機能が低下した場合に竜頭周りの部品交換を可能とした携帯時計を提供することにある。
【００１２】
【課題を解決するための手段】
前記課題を解決するために、本発明は、胴に、胴内面及び胴外面に開口するパイプ取付け孔と、この取付け孔に開放するとともに胴内面及び胴外面の少なくとも一方に開放するピン受け溝とを設ける。巻真パイプを胴の外側からパイプ取付け孔に出し入れ可能に遊挿するとともに、この巻真パイプを、胴の内側に配置される係合溝付きの胴内側端部を有した挿入部と、竜頭が取外し可能に螺合する雄ねじ部を有して胴の外側に配置される胴外側端部と、挿入部の外周面に開放して前記ピン受け溝と対向する他のピン受け溝とを有した構成とする。更に、回り止めピンを胴及び巻真パイプの両ピン受け溝に渡って配置して巻真パイプを回り止めするともに、胴内側端部の係合溝にパイプストッパを取外し可能に係合して巻真パイプの抜け止めをしたことを特徴としている。
【００１３】
本発明及び以下の各発明で、胴及び巻真パイプは金属例えばステンレス鋼等の材料で好適に作ることができるが、これに制約されず合成樹脂製とすることも可能である。本発明で、巻真パイプがパイプ取付け孔に「遊挿」されるとは、巻真パイプがパイプ取付け孔に非圧入状態に挿入されていて、この取付け孔に対する挿入部の胴外側からの出し入れを可能とする挿入状態を指している。この挿入状態で、巻真パイプとパイプ取付け孔との間に若干の隙間（遊び）を設けることは好ましいが、この隙間は実質的になくてもよい。本発明及び以下の各発明で、パイプストッパは、それ自体単独でストッパ部品として機能できるＣ形やＥ形の止め輪、環状のナット等を使用できる他、時計ムーブメントを支持するために胴内側（胴の内部空間）に配置される合成樹脂製等の内枠にＵ字状の溝を有した板部を一体に成形し、この板部をパイプストッパとして使用することも可能である。この場合、Ｕ字状の溝を巻真パイプの胴内側端部の係合溝に嵌めることによって、前記板部をパイプストッパとして機能させることが可能である。更に、パイプストッパの種類に応じて、胴内側端部の係合溝は環状の溝やねじ溝などで形成できる。
【００１４】
本発明で、胴のパイプ取付け孔に遊挿された巻真パイプは、このパイプ及び胴の双方に引っ掛かっている回り止めピンで胴に対して回り止めされているとともに、胴内側に配置したパイプストッパで胴外側に抜け止めされている。すなわち、巻真パイプは固定されることなく胴に取付けられている。このため、メンテナンスにおいてパイプストッパを外した状態では、パイプ取付け孔に遊挿されている巻真パイプを胴外側に引抜くことができる。
【００１５】
本発明の好ましい形態では、前記胴のピン受け溝が前記胴内面に開放されているとともに、前記巻真パイプのピン受け溝が前記挿入部の先端面に開放されているので、回り止めピンを、巻真パイプの胴外側端部に邪魔されることなく、胴内側から出し入れできる点で優れている。
【００１６】
本発明の好ましい形態では、巻真パイプのピン受け溝の前記胴外側端部寄りの溝端と前記パイプストッパとで前記回り止めピンが軸方向に挟まれているので、回り止めピンを外れ止めし所定位置に保持するために、それ専用の部品を要しない点で優れている。
【００１７】
又、前記課題を解決するために、本発明は、胴に、胴内面及び胴外面に開口する非円形のパイプ取付け孔を設ける。外周形状がパイプ取付け孔に対応した非円形に形成された巻真パイプを、胴の外側からパイプ取付け孔に出し入れ可能に遊挿するとともに、この巻真パイプを、胴の内側に配置される係合溝付きの胴内側端部を有した挿入部と、竜頭が取外し可能に螺合する雄ねじ部を有した胴外側端部とを備えた構成とする。更に、胴内側端部の係合溝にパイプストッパを取外し可能に係合して巻真パイプの抜け止めをしたことを特徴としている。
【００１８】
本発明で、巻真パイプの外周面が非円形であるとは、巻真パイプの外周面に軸方向に延びる溝条や凸条が１以上形成された形状、或いは多角形であることを含んでいる。同様に、巻真パイプが遊挿されるパイプ取付け孔が非円形であるとは、パイプ取付け孔の内周面に軸方向に延びる凸条や溝条が１以上形成された形状、或いは多角形であることを含んでいる。
【００１９】
本発明で、胴のパイプ取付け孔に遊挿された巻真パイプは、このパイプ及びパイプ取付け孔の双方が非円形であることにより、胴に対して回り止めされているとともに、胴内側に配置したパイプストッパで胴外側に抜け止めされている。すなわち、巻真パイプは固定されることなく胴に取付けられている。このため、メンテナンスにおいてパイプストッパを外した状態では、パイプ取付け孔に遊挿されている巻真パイプを胴外側に引抜くことができる。
【００２０】
【発明の実施の形態】
以下、図１〜図３を参照して本発明の第１実施形態を説明する。
【００２１】
図１中符号１１は竜頭のねじロック構造を備える携帯時計としてのダイバーズウォッチを示しており、このウォッチ１１は時計外装組立１２内に図示しない時計ムーブメント等を収容している。時計ムーブメントは、小型電池やぜんまいを動力にしたもの、又は自動巻きのもの、若しくはクォーツ発振モジュールにより文字板上で時刻等をデジタル表示するデジタル時計対応のもの、或いはデジタル時計対応のものとそれ以外のものとを併用したもの等のいずれであってもよい。
【００２２】
時計外装組立１２は、環状をなす金属製の胴１３の表面に、カバーガラス１４を液密に装着するとともに、胴１３の裏面に、金属等からなる裏蓋１５（図２参照）を液密に装着して形成されている。カバーガラス１４を通して文字板１６などを透視可能であり、裏蓋１５は取外し可能である。
【００２３】
図２に示すように胴１３には、この胴１３を半径方向に貫通するパイプ取付け孔１７が設けられている。パイプ取付け孔１７の一端は、胴内側、つまり時計外装組立１２の内部空間に臨んだ胴内面１３ａに開口され、パイプ取付け孔１７の他端は、時計外装組立１２の外部に臨んだ胴外面１３ｂに開口されている。胴１３の外側面１３ｂは円形の凹部１８を有している。この凹部１８は、パイプ取付け孔１７より大径で、この孔１７の胴外側開口に連通し、かつ、この開口と同心的に設けられている。
【００２４】
更に、胴１３にはピン受け溝１９がパイプ取付け孔１７と平行に設けられている。ピン受け溝１９は、パイプ取付け孔１７に開放されているとともに、その一端及び他端を胴内面１３ａ及び胴外面１３ｂの凹部１８に夫々開放して形成されている。
【００２５】
図２及び図３中符号２１は、金属製の巻真パイプを示している。このパイプ２１は、パイプ取付け孔１７を貫通して胴外側から出し入れ可能に胴１３に取付けられている。
【００２６】
詳しくは、巻真パイプ２１は、パイプ取付け孔１７に遊挿される挿入部２２と、胴外側に配置される胴外側端部２３と、挿入部２２に形成されたピン受け溝２４とを有している。
【００２７】
挿入部２２の外径はパイプ取付け孔１７より僅かに小さい。これにより、パイプ取付け孔１７と挿入部２２との間に、パイプ取付け孔１７に対する挿入部２２の挿脱を可能とするための遊びつまり僅かな隙間（図示しない）が作られるようになっている。胴外側端部２３から最も隔たった挿入部２２の先端部は胴内側端部２２ａをなしている。巻真パイプ２１が胴外側端部２３で軸方向に位置決めされた際に、胴内側端部２２ａが胴１３の内部空間（胴内側）に突出して配置される長さを、挿入部２２は有している。
【００２８】
胴外側端部２３は、挿入部２２の胴内側端部２２ａとは反対の端に一体に設けられている。胴外側端部２３は、凹部１８より大径であり、その外周面には雄ねじ部２３ａが形成されている。胴外側端部２３の挿入部２２寄りの面は、巻真パイプ２１の軸線方向と直交していて、胴外面１３ｂに接する当り面２３ｂとして使用されるようになっている。
【００２９】
挿入部２２の胴内側端部２２ａの根元、すなわち、胴内側端部２２ａの胴１３から胴内側に突出した部分の胴内面１３ａ寄りの部分には、この端部２２ａの外周面に開放する例えば環状の係合溝２５が形成されている。
【００３０】
ピン受け溝２４は、挿入部２２の軸方向に沿って延びて設けられていて、この挿入部２２の外周面に開放している。ピン受け溝２４は係合溝２５を横切っていて、胴内側に臨む挿入部２２の先端面に開放されている。このピン受け溝２４は、胴１３のピン受け溝１９に対応して作られたものであって、ピン受け溝１９と向かい合って例えば円形の孔を作るようになっている。なお、図２中符号２４ａはピン受け溝２４の胴外側端部２３寄りの溝端を示している。
【００３１】
パイプ取付け孔１７に挿入された巻真パイプ２１は回り止めピン２６で胴１３に対して回り止めされている。このピン２６は、両ピン受け溝１９、２４が作った前記円形の孔に例えば胴内側から挿入されることによって、両ピン受け溝１９、２４にわたって配置され、胴１３に対する巻真パイプ２１の周方向の回転を阻止する回り止めストッパとして機能する。
【００３２】
係合溝２５にはＥ形止め輪等からなるパイプストッパ２７が取外し可能に係合されている。パイプストッパ２７は、胴内面１３ａに接して、パイプ取付け孔１７に対する胴外側への巻真パイプ２１の抜け止めとして機能している。パイプストッパ２７は、胴外側端部２３とともにパイプ取付け孔１７の周りを胴１３の内外から挟んで、胴１３に巻真パイプ２１を取付けている。更に、パイプストッパ２７は、ピン受け溝２４の溝端２４ａとの間に回り止めピン２６を軸方向に挟んでいる。このようにパイプストッパ２７とピン受け溝２４の溝端２４ａとを利用して回り止めピン２６を所定位置に外れ止めしているために、それ専用の部品を要しない。
【００３３】
図２中符号２８はゴム製の環状防水パッキンを示している。このパッキン２８は、凹部１８に嵌入し、この凹部１８の奥面と胴外側端部２３の当り面２３ｂとの間に弾性変形した状態で挟まれていて、胴１３と巻真パイプ２１との間の防水を担っている。
【００３４】
胴１３への巻真パイプ２１の取付けは次の手順で行われる。まず、凹部１８に防水パッキン２８を嵌入させた状態、又は、巻真パイプ２１の挿入部２２の外周に防水パッキン２８を嵌合させた状態で、胴１３と巻真パイプ２１のピン受け溝１９、２４が互いに対向するように位置合わせしながら、胴外側から挿入部２２をパイプ取付け孔１７に挿通させる。挿入部２２のパイプ取付け孔１７への挿入は、胴外側端部２３の当り面２３ｂが胴外面１３ｂに当たることにより規制される。これと同時に、胴内側端部２２ａの係合溝２５が胴内面１３ａに対して適正に位置決めされる。以上の挿入に伴い、自由状態の防水パッキン２８が圧縮されるとともに、挿入部２２の胴内側端部２２ａが胴１３の内側（胴１３の内側空間）に突出する。
【００３５】
次に、胴内側端部２２ａの先端面に開放しているピン受け溝２４をガイドとして、この溝２４と胴１３のピン受け溝１９とが作っている孔に、胴内側から回り止めピン２６を挿入する。挿入された回り止めピン２６はピン受け溝１９、２４の双方に引っ掛かる。このため、回り止めピン２６を介して巻真パイプ２１が胴１３に対して回り止めされる。
【００３６】
この後、パイプストッパ２７を胴内面１３ａに沿わせながら胴内側端部２２ａの係合溝２５に嵌め付ける。これにより、パイプストッパ２７の抜け止め作用で、胴１３に対して巻真パイプ２１が胴外側に抜けないように保持される。
【００３７】
以上の手順で胴１３への巻真パイプ２１の取付けが完了する。なお、胴内側から回り止めピン２６を差し込むことに代えて、回り止めピン２６を予めピン受け溝２４を嵌めて保持した状態で、このピン２６を挿入部２２とともにパイプ取付け孔１７及びピン受け溝１９に胴外側から挿入した後に、胴内側で挿入部２２にパイプストッパ２７を取付けて、胴１３への巻真パイプ２１の取付けを行うこともできる。
【００３８】
胴１３に巻真パイプ２１が取付けられた状態は図２に示されている。この状態では、防水パッキング２８の弾性反発力で巻真パイプ２１が胴外側に付勢されていて、胴外面１３ｂに接している胴外側端部２３と胴内面１３ａに接しているパイプストッパ２７とが、パイプ取付け孔１７の周りを胴１３の内外から挟んでいる。このため、胴１３に対して巻真パイプ２１は軸方向にがたつきなく取付けられている。更に、胴１３に対して巻真パイプ２１は、既述のように回り止めピン２６で回り止めされている。したがって、巻真パイプ２１は、ろう付けや接着剤で固定されることなく胴１３に取付けられている。
【００３９】
このため、既述の組立と逆の手順でメンテナンスの際等に胴１３から巻真パイプ２１を取外すことが可能である。この取外しは、裏蓋１５を取外した状態で、胴内側のパイプストッパ２７を外して、パイプ取付け孔１７に遊挿されている巻真パイプ２１を胴外側に引抜くことで実施できる。
【００４０】
図１中符号３１で示す竜頭は、金属製であって、図２に示すように竜頭主部３２と、この中央部から軸方向に一体に延びる竜頭筒部３３とを有している。竜頭主部３２には、竜頭筒部３３の根元側部分を囲む環状の逃げ溝３４が設けられているとともに、この溝３４の内周面にねじロックのための雌ねじ部３５が形成されている。逃げ溝３４は、巻真パイプ２１の胴外側端部２３及び外装パイプ２６が挿入される部分である。雌ねじ部３５は、胴外側端部２３の雄ねじ部２３ａに取外し可能に螺合される。この螺合により、このウォッチ１１の携帯時に竜頭３１が不用意に回転されないようにねじロックする機能が発揮される。
【００４１】
竜頭筒部３３は胴外側から巻真パイプ２１に挿入されている。この筒部３３の外周に形成された環状のパッキン取付け溝には、ゴム製の環状防水パッキン３６が取付けられている。防水パッキン３６は、巻真パイプ２１の内周面と竜頭筒部３３の外周面との間に圧縮状態に弾性変形して挟まれ、これらの間の防水を担っている。竜頭筒部３３内には胴内側から時計ムーブメントの巻真３７が挿入されているとともに、この巻真３７をばね受け３８を介して軸方向に付勢するコイルばね３９が収容されている。時計ムーブメントは、雄ねじ部２３ａに対する雌ねじ部３５のかみ合いを外した状態、言い換えれば、ねじロックが解除された状態で、竜頭３１の回転操作に連動して回転される。これにより、時刻合わせ等が行われるようになっている。
【００４２】
なお、竜頭３１は、その竜頭筒部３３を、これに巻真３７が接続された状態で胴外側から巻真パイプ２１内に挿入するとともに、竜頭主部３２の雌ねじ部３５を巻真パイプ２１の雄ねじ部２３ａに螺合して締付けることで、取付けられる。竜頭３１が雄ねじ部２８に最も深くねじ込まれた状態で、竜頭主部３２は、図２に示されるように胴１３の外側面１３ｂに当接して位置決めされ、胴外側端部２３を覆い隠す。以上の手順の後に、巻真３７と時計ムーブメントとの接続がなされる。
【００４３】
この組立て完了状態では以下のように高圧防水機能を発揮しかつ維持できる。すなわち、巻真パイプ２１と胴１３との間の防水は、これらの間に圧縮状態に弾性変形された防水パッキン２８により確保でき、巻真パイプ２１とこの内側に挿入された竜頭筒部３３との間の防水は、これらの間に圧縮状態に弾性変形して挟まれた防水パッキン３６により確保できる。
【００４４】
図２に示すダイバーズウォッチ１１の組立状態では、竜頭３１が巻真パイプ２１の胴外側端部２３が有する雄ねじ部２３ａにかみ合ってねじロックされているので、携帯中に不用意に竜頭３１が回されて、時刻表示などが変化することを防止できる。時刻合わせ等を行う場合には、竜頭３１を逆回転させて胴外側端部２３に対する竜頭主部３２の噛み合いを外して、竜頭３１をコイルばね３９のばね力に抗して引出した状態で行うことができる。
【００４５】
竜頭３１の操作に伴い、雄ねじ部２８及びこれに螺合した雌ねじ部３５の損傷や摩耗等により竜頭３１のねじロック機能が低下した場合には、以下のように対処できる。
【００４６】
すなわち、竜頭３１を外した状態で、既述のようにパイプストッパ２７を、巻真パイプ２１の胴内側端部２２ａの係合溝２５から取外すことにより、胴１３に分離不能に固定されることなく遊挿されている巻真パイプ２１を、軸方向に沿って胴外側に引出すことができる。
【００４７】
このため、メンテナンスにおいて巻真パイプ２１及び竜頭３１の交換が必要な場合には、巻真パイプ２１及び竜頭３１を単独に交換可能である。これにより、修理の依頼者にとっては、胴１３等を含めた時計外装組立１２の交換を余儀なくされることなく、部品交換で対応することが可能となるので、費用負担を少なくできる。更に、巻真パイプ２１の交換を伴うか否かに拘らず、メンテナンスにおいて胴外面１３ｂをバフ研摩等により磨いて胴１３をきれいにする場合に、巻真パイプ２１等を容易に取外して、その胴外側端部２３が磨き作業の邪魔にならない状態で行うことが可能である。このため、磨き作業がし易く、かつ、胴外面１３ｂを確実に磨くことができる。
【００４８】
又、組立てられた状態では、巻真パイプ２１に取付けられたパイプストッパ２７と巻真パイプ２１の胴外側端部２３とで、胴１３のパイプ取付け孔１７の周りが内外から挟まれている。このため、携帯時計１１が落下した場合等に衝撃が加わっても、胴１３に対して巻真パイプ２１が軸方向にがたつくことを防止できる。
【００４９】
更に、既述のように胴１３への巻真パイプ２１の取付けにおいては、巻真パイプ２１をねじ込む必要がないので、巻真パイプ２１に胴１３への取付けに伴うストレスが掛かることが抑制される。このため、巻真パイプ２１に必要とされる強度なども下げることができるに伴い、巻真パイプ２１の材料や肉厚などの設計上の自由度を大きくすることが可能である。しかも、巻真パイプ２１にピン受け溝１９を作る加工は、ねじ部を作る加工に比較して容易であり、巻真パイプ２１に対する雄ねじ部の加工、及びパイプ取付け孔１７に対する雌ねじ部の加工が不要となるので、加工コストを低減することが可能である。
【００５０】
なお、第１実施形態において、パイプ取付け孔１７に開放する胴１３のピン受け溝１９は、胴内面１３ａに一端が開放し他端が閉じられた構成、或いは、胴外面１３ｂに一端が開放し他端が閉じられた構成としてもよい。
【００５１】
図４は本発明の第２実施形態を示している。第２実施形態は、基本的には第１実施形態と同じであるので、同じ部分については第１実施形態と同一符号を付してその説明を省略し、以下、第１実施形態とは異なる部分について説明する。
【００５２】
第２実施形態では、第１実施形態で採用した回り止めのためのピン受け溝及び回り止めピンに代えて、パイプ取付け孔１７及びこれに遊挿される巻真パイプ２１の挿入部２２が、いずれも非円形に作られている。
【００５３】
この非円形の一例として、パイプ取付け孔１７には１以上の平面部、具体的にはパイプ取付け孔１７に巻真パイプ２１が挿入されていない状態で対向する一対の平面部１７ｂが設けられている。そして、この孔構造に対応して、挿入部２２の外周面にも一対の平面部２２ｂ（一方のみ図示）が設けられている。これらの平面部１７ｂ、２２ｂは回り止め面として機能する。
【００５４】
以上説明した点以外の構成は第１実施形態と同じである。そのため、この第２実施形態でも、第１実施形態と同じ作用を得て本発明の課題を解決できる。しかも、第２実施形態では、胴１３に対して巻真パイプ２１を回り止めするための部品が不要となるので、構成が簡単になるとともに、パイプ取付け孔１７及び挿入部２２に対して軸方向に延びる溝加工も必要としないので、コストを低減できる点で好ましい。
【００５５】
本発明は前記両実施形態には制約されるものではなく、例えば高圧防水性能を要求されない通常の腕時計や懐中時計などの携帯時計にも適用可能である。
【００５６】
【発明の効果】
本発明によれば、胴のパイプ取付け孔に固定することなく遊挿された巻真パイプを、回り止めピンで回り止めするとともに、パイプストッパで胴外側に抜け止めしたので、メンテナンスにおいてはパイプストッパを外して巻真パイプを胴外側に引抜くことが可能である。このため、竜頭操作に伴ってねじロック機能が低下した場合に、竜頭回りの部品交換、つまり、竜頭及びこれをねじロックする巻真パイプを単独に交換可能することが可能な携帯時計を提供できる。
【００５７】
胴のピン受け溝が胴内面に開放されているとともに、巻真パイプのピン受け溝が巻真パイプの挿入部の先端面に開放されている発明によれば、回り止めピンを、巻真パイプの胴外側端部に邪魔されることなく、胴内側から出し入れすることが可能な携帯時計を提供できる。
【００５８】
巻真パイプのピン受け溝の胴外側端部寄りの溝端とパイプストッパとで回り止めピンが軸方向に挟まれている発明によれば、回り止めピンを外れ止めし所定位置に保持するために、それ専用の部品を要しない携帯時計を提供できる。
【００５９】
本発明によれば、胴のパイプ取付け孔とこれに固定することなく遊挿された巻真パイプの挿入部とを非円形として、巻真パイプを回り止めするとともに、巻真パイプを胴外側にパイプストッパで抜け止めしたので、メンテナンスにおいてはパイプストッパを外して巻真パイプを胴外側に引抜くことが可能である。このため、竜頭操作に伴ってねじロック機能が低下した場合に、竜頭回りの部品交換、つまり、竜頭及びこれをねじロックする巻真パイプを単独に交換可能することが可能な携帯時計を提供できる。
【図面の簡単な説明】
【図１】本発明の第１実施形態に係るダイバーズウォッチを示す正面図。
【図２】竜頭がねじロックされた状態で図１中Ｆ２−Ｆ２線に沿って示す断面図。
【図３】図１のダイバーズウォッチが備える胴と、巻真パイプと、回り止めピンと、パイプストッパとの関係を分解して示す斜視図。
【図４】本発明の第２実施形態に係るダイバーズウォッチが備える胴と、巻真パイプと、パイプストッパとの関係を分解して示す斜視図。
【符号の説明】
１１・・・ダイバーズウォッチ（携帯時計）
１２・・・時計外装組立
１３・・・胴
１３ａ・・・胴内面
１３ｂ・・・胴外面
１７・・・パイプ取付け孔
１９・・・胴のピン受け溝
２１・・・巻真パイプ
２２・・・巻真パイプの挿入部
２２ａ・・・挿入部の胴内側端部
２３・・・巻真パイプの胴外側端部
２３ａ・・・胴外側端部の雄ねじ部
２４・・・挿入部のピン受け溝
２４ａ・・・ピン受け溝の溝端
２５・・・胴内側端部の係合溝
２６・・・回り止めピン
２７・・・パイプストッパ
３１・・・竜頭
３５・・・竜頭の雌ねじ部
【図１】
2004271362.tif 000003
【図２】
2004271362.tif 000004
【図３】
2004271362.tif 000005
【図４】
2004271362.tif 000006